(57)【要約】【課題】  常に湿潤しているような劣悪な環境等であっても、すべり支承体とすべり面との間の摩擦係数を常に一定に保つことができるすべり支承用カバーを提供すること。【解決手段】  比較的薄い外面部材としての防水シート４１と比較的厚い裏面部材としてのスポンジ状材料又は不織布の保液層４２とを接着剤等で一体化してすべり支承用カバー２４を構成し、すべり面２２にシリコーングリース等の潤滑剤を付与できるように保液層４２にシリコーングリース等の潤滑剤を保持させる。【選択図】        図３
2006257683.tif 000002
【特許請求の範囲】
【請求項１】
建物の下部にすべり支承体を設け、基礎上に設けられたすべり面により前記すべり支承体を介して前記建物をすべり可能に支持するすべり支承装置において、前記すべり面への水やほこりの侵入を防ぐために該すべり面を覆うために使用されるすべり支承用カバーであって、
前記すべり面と接触する面に、前記すべり面に付与する潤滑剤が保持されている、ことを特徴とするすべり支承用カバー。
【請求項２】
前記潤滑剤はシリコーンオイルまたはシリコーングリースである、ことを特徴とする請求項１または請求項１に記載のすべり支承用カバー。
【請求項３】
前記すべり面と対向する面に、液体状の前記潤滑剤を吸収保持する液体保持部材が設けられている、ことを特徴とする請求項１または請求項２に記載のすべり支承用カバー。
【請求項４】
建物の下部にすべり支承体を設け、基礎上に設けられたすべり面により前記すべり支承体を介して前記建物をすべり可能に支持するすべり支承装置であって、
請求項１乃至請求項３の何れか１項に記載のすべり支承用カバーで前記すべり面を覆っている、ことを特徴とするすべり支承装置。
【発明の詳細な説明】
【技術分野】
【０００１】
本発明は、建物の下部にすべり支承体を設け、基礎上に設けられたすべり面により前記すべり支承体を介して前記建物をすべり可能に支持するすべり支承装置において、前記すべり面を覆うために使用されるすべり支承用カバー、及びすべり支承用カバーを備えたすべり支承装置に関する。
【背景技術】
【０００２】
建築物においては、地震や振動による変位を吸収することにより建物に伝達される振動を軽減する免震支持装置の一つとして、すべり支承装置を用いることが行なわれている。このすべり支承装置は、建物の下部にすべり支承体を設け、基礎上に設けられたすべり面により前記すべり支承体を介して前記建物をすべり可能に支持するように構成されている。
【０００３】
また、このすべり支承装置は、例えば積層ゴム支承装置など、水平方向に弾性変位可能な免震支持装置とともに使用されることがある。このような建築用のすべり支承装置においては、摩擦係数を一定に保つために、すべり面に水や埃が付着することを極力防ぐ必要があり、そのために、すべり面上の水や汚れ等を効果的に拭き取る支承用カバーを装着することが行なわれている（特許文献１参照）。
【特許文献１】特開２００１―３１７２２８号公報
【発明の開示】
【発明が解決しようとする課題】
【０００４】
しかしながら、支承用カバーを用いても、環境が劣悪な場合、例えば、常に湿潤している環境等のレアケースを想定した場合においては摩擦係数を不安定にさせる懸念があった。
【０００５】
本発明は、常に湿潤しているような劣悪な環境等であっても、すべり支承体とすべり面との間の摩擦係数を常に一定に保つことができるすべり支承用カバー、及びすべり支承装置を提供することが目的である。
【課題を解決するための手段】
【０００６】
請求項１に記載の発明は、建物の下部にすべり支承体を設け、基礎上に設けられたすべり面により前記すべり支承体を介して前記建物をすべり可能に支持するすべり支承装置において、前記すべり面への水やほこりの侵入を防ぐために該すべり面を覆うために使用されるすべり支承用カバーであって、前記すべり面と接触する面に、前記すべり面に付与する潤滑剤が保持されている、ことを特徴としている。
【０００７】
次に、請求項１に記載のすべり支承用カバーの作用を説明する。
【０００８】
請求項１に記載のすべり支承用カバーでは、すべり面と接触する面に潤滑剤が保持されている。潤滑剤の保持されている部分はすべり面に常に接触しているので、すべり支承体とすべり面との相対移動時においても、潤滑剤をすべり面に対して確実に供給でき、常に湿潤している環境等においても、すべり支承体とすべり面との間の摩擦係数を長期に渡って一定に保つことが可能となる。
【０００９】
また、支承用カバーがすべり面に常に接触しているので、すべり面に水やほこり等の異物の付着を防ぐことができ、仮に異物が付着した場合であっても、地震振動発生時にすべり支承体と支承用カバーが一体となってすべり面上を動くことにより、該異物の影響を排除することができる。
【００１０】
請求項２に記載の発明は、請求項１に記載のすべり支承用カバーにおいて、前記潤滑剤はシリコーンオイルまたはシリコーングリースである、ことを特徴としている。
【００１１】
次に、請求項２に記載のすべり支承用カバーの作用を説明する。
【００１２】
請求項２に記載のすべり支承用カバーでは、潤滑作用のあるシリコーンオイルまたはシリコーングリースの作用により支承体とすべり面との間の摩擦係数を安定的に低減できる。また、すべり支承は水分を嫌うので、安定性があり、撥水作用のあるシリコーンオイルまたはシリコーングリースを潤滑剤として用いることが好ましい。
【００１３】
請求項３に記載の発明は、請求項１または請求項２に記載のすべり支承用カバーにおいて、前記すべり面と対向する面に、液体状の前記潤滑剤を吸収保持する液体保持部材が設けられている、ことを特徴としている。
【００１４】
次に、請求項３に記載のすべり支承用カバーの作用を説明する。
【００１５】
液体状の潤滑剤を用いる場合、液体保持部材を設けることで、液体状の潤滑剤を支承用カバーに長期に渡って確実に保持できるようになる。
【００１６】
請求項４に記載のすべり支承装置は、建物の下部にすべり支承体を設け、基礎上に設けられたすべり面により前記すべり支承体を介して前記建物をすべり可能に支持するすべり支承装置であって、請求項１乃至請求項３の何れか１項に記載のすべり支承用カバーで前記すべり面を覆っている、ことを特徴としている。
【００１７】
次に、請求項４に記載のすべり支承装置の作用を説明する。
【００１８】
請求項４に記載のすべり支承装置は、請求項１乃至請求項３の何れか１項に記載のすべり支承用カバーにてすべり面を覆っているので、常に湿潤な環境等においても、すべり支承体とすべり面との間の摩擦係数を長期に渡って一定に保つことが可能となる。
【発明の効果】
【００１９】
以上説明したように、本願発明のすべり支承用カバーは上記の構成としたので、常に湿潤している環境等であっても、すべり支承体とすべり面との間の摩擦係数を常に一定に保つことができる、という優れた効果を有する。
【００２０】
また、本願発明のすべり支承装置は上記の構成としたので、常に湿潤している環境等であっても、すべり支承体とすべり面との間の摩擦係数を常に一定に保つことができる、という優れた効果を有する。
【発明を実施するための最良の形態】
【００２１】
以下図面を参照して本発明の実施の形態を説明する。図１は本発明を適用したすべり支承用カバーを有するすべり支承装置を使用した建物を模式的に示す立面図であり、図２は図１中のすべり支承装置を示す縦断面図である。
【００２２】
図１において、建物１０は床下に設置された複数のすべり支承装置２０及び複数の積層ゴム支承装置３０によって免震支持されている。
【００２３】
図示の例では、床下は建物１０の床面１１と地中に構築された基礎１２の上面との間に形成されており、各すべり支承装置２０は建物の柱１３の下端部と前記基礎１２との間に構成されている。なお、符号１４は地面を例示する。
【００２４】
前記積層ゴム支承装置３０は円柱状の積層ゴム部３１の上下端面にフランジ部材３２、３３を一体的に固着接合して構成されており、前記積層ゴム部３１はゴム層と金属や硬質プラスチック板などの補強板とを交互に一体的に積層した構造を有する。
【００２５】
図示の例では、前記積層ゴム支承装置３０は、上下のフランジ部材３２、３３を建物１０の柱１３及び基礎１２に対してボルト・ナット等で締結することにより、建物１０を免震支持する状態で取り付けられている。このような積層ゴム支承装置３０は、縦方向には高いばね定数を有し、横方向（水平方向）には低いばね定数を有しており、通常、その縦横ばね定数比は８００以上という大きな値となる。このような積層ゴム支承装置は、例えば、特開昭６０−２６１８４５号公報、特開昭６１−１４３４０号公報、特開昭６４−４８９５０号公報などに開示されている。
【００２６】
図１及び図２において、各すべり支承装置２０は、建物１０の柱１３の下端部に設けられたすべり支承体２１を基礎１２上に設けられたすべり面２２上に水平方向にすべり（摺動）可能に支持する構成を有している。
【００２７】
図示の例では、基礎１２の上面に平板状部材２３を固定し、該平板状部材２３の平滑な上面を低摩擦面に仕上げることにより前記すべり面２２が形成されている。このすべり面２２を形成する前記平板状部材２３の材質としては、鋼又はステンレス等の金属や焼結合金やＰＴＦＥ樹脂などが使用され、平滑性に優れ、かつ耐磨耗性もある低摩擦係数の材料が好ましい。
【００２８】
一方、前記すべり支承体２１側のすべり面（端面）としても、前記平板状部材２３と同様の材質であってすべり面２２との組合せにより適度な摩擦係数を得られるものが使用される。
【００２９】
前記すべり支承装置２０においては、すべり特性（免震特性）を一定に保つためには、すべり面２２に水分やほこりが付着して摩擦係数が変化することを極力防止することが要請され、その目的のため、図２に示すように、すべり面２２を覆うためのすべり支承用カバー２４が装着されている。
【００３０】
図３は本発明を適用したすべり支承用カバーの一実施例を有するすべり支承装置２０の組み付け状態を一部破断して示す模式的斜視図であり、図４は図３中のすべり支承用カバー２４の組み付け前の状態を示す模式的分解斜視図である。
【００３１】
図２〜図４において、前記すべり支承用カバー２４は、前記すべり面２２上への水やほこりの侵入を防ぐために、該すべり面２２の全面を覆うようなカバー部材で形成されている。
【００３２】
図示のすべり支承装置２０では、建物１０側のすべり支承体２１は円形断面の円筒状部材で形成されているが、基礎１２側のすべり面２２を形成する前記平板状部材２３としては平面形状が八角形状の部材が使用されており、該平板状部材２３を覆うすべり支承用カバー２４としては、前記すべり面２２と略同じ面積もしくはそれ以上の面積（十分に広い面積を含む）を有する八角形状のカバー部材（略相似形のカバー部材）が使用されている。
【００３３】
また、前記すべり支承用カバー２４は、図３及び図４に示すように中央部を通る切れ目２７により２分割（もしくは４分割）され、現場で組み付けた後で切れ目を密着させた状態で布テープ（クロステープ）２８で結合することで一体化するように構成され、施工時の組付け作業性の向上が図られている。
【００３４】
なお、図示のすべり支承用カバー２４では、前記切れ目２７に沿う部位に接合部補強用のシート２９がブチル系接着剤の接着等で固着されている。さらに、前記すべり支承用カバー２４の略中央部には、組み立てた状態（図２、図３）で建物１０側の前記すべり支承体２１の外径面（周面）と防水防塵性を確保できるような状態で密着嵌合する開口２５が形成されている。
【００３５】
図２〜図４の実施例では、前記すべり支承用カバー２４は平板状をしており、建物１０側のすべり支承体２１と嵌合させて前記すべり面２２上に載置した状態で使用される。
【００３６】
つまり、すべり支承用カバー２４の裏面（内面、下面）はすべり面２２上に載せられ周縁部では該すべり面２２と面一となるかもしくは該すべり面からはみ出して基礎１２の上面に当接している。
【００３７】
図２〜図４において、前記すべり面２２への水やほこりの侵入を防ぐために該すべり面を覆うために使用されるすべり支承用カバー２４は、前記すべり面２２を覆った状態（図２及び図３の状態）での外面（おもて面、図示の例では上面）を形成する防水シート４１と、前記すべり面２２を覆った状態での内面（裏面、図示の例では下面）を形成するスポンジ状材料又は不織布から成る保液層４２と一体に接合した構成を有している。
【００３８】
この防水シート４１と保液層４２との接合は、例えば熱融着用の接着剤で一体化することにより行われる。
【００３９】
前記防水シート４１としては、防水性に優れるとともに、例えば防塵性にも優れた難燃性の防炎シートを使用することが望ましい。この種の防水シートの具体例としては、例えばカンボウプラス株式会社により製造販売されているカラーターポリンの品番ＡＰＣ４００Ｆ（厚さ０．３５ｍｍ）を挙げることができる。
【００４０】
保液層４２としては、スポンジ状材料、織物、又は不織布から成る吸液性及び保液性に優れた層が使用されている。
【００４１】
この種の保液層４２の具体例としては、例えば株式会社ブリヂストンにより製造販売されているフィブライト（同社の登録商標）を挙げることができる。このフィブライトは、吸音材としても使用されるものであり、ポリエステル短繊維を特殊繊維バインダー（ポリエステル）により繊維間を結合したポリエステル繊維１００％の繊維成形体もしくは不織布であり、吸音性、吸液性、保液性に優れている他、断熱性及び通気性にも優れた難燃性のスポンジ状（綿状）材料であり、構造的には不織布でもある。さらに、上記フィブライトは、撥水処理が容易で、高耐久性を有し、環境性にも優れた材料である。
【００４２】
そして、前記すべり支承用カバー２４では、通常、厚みが約０．２ｍｍ〜約１．５ｍｍ程度の防水シート４１の裏面に、厚みが約２０ｍｍ〜約１００ｍｍ程度の保液層４２を熱融着用の接着剤で固着した構造が採用される。
【００４３】
この保液層４２には、液体状の潤滑剤が保持されている。
【００４４】
なお、ここでいう液体とは、水状のものから、粘性を有するグリース状のものまで含まれる。
【００４５】
液体状の潤滑剤としては、シリコーンオイル、シリコーングリース等を用いることができる。
【００４６】
本実施形態では、潤滑剤としてダウコーニングアジア（株）製のＦＳ高真空用グリース「ＨＩＧＨ  ＶＡＣＵＵＭ（商品名）」を用いているが、蒸発せず、長期に渡って安定しているものであれば他の材質のものであっても良い。
【００４７】
なお、すべり面２２には、潤滑剤が予め全面に塗布されている。
（作用）
以上説明したすべり支承用カバー２４によれば、潤滑剤の保持されている保液層４２がすべり面２２に常に接触しているので、すべり支承体２１とすべり面２２との相対移動時において、潤滑剤をすべり面２２に対して確実に供給でき、常に湿潤している環境等においても、すべり支承体２１とすべり面２２との間の摩擦係数を長期に渡って一定に保つことが可能となる。
【００４８】
また、本実施形態では、保液層４２に撥水性を有するシリコングリースが保持されているため、カバー内側への水の浸入を抑えることもできる。
【００４９】
なお、地震発生時に建物１０が移動すると、すべり支承体２１とともにすべり支承用カバー２４も移動するので、該すべり支承用カバー２４の裏面（保液層４２）によってすべり面２２上の水や汚れ等を拭き取ることができるという効果（いわゆる雑巾掛けの効果）も得られる。
【００５０】
また、前記すべり支承用カバー（シート）２４は、すべり支承体２１と嵌合する前記開口２５から周縁に至る切れ目２７によって分割構造にされているので、すべり支承体２１がすべり面２２に当接したそのままの状態ですべり支承用カバー２４を簡単かつ容易に取り付け取外しすることができ、保守点検時の作業性及び取扱い性を向上させることができる。
【００５１】
つまり、図１及び図２の状態でも、すべり支承用カバー２４をすべり支承装置２０に簡単に取り付けたり取り外したりすることができる。
【００５２】
なお、前述の実施例では、すべり支承体２１を円形断面の円筒体で形成するとともに、すべり面２２（平板状部材２３）及びすべり支承用カバー２４の平面形状を八角形状にしたが、これらの形状は円形、長円形、各種多角形など任意の形状に選定できるものである。
【図面の簡単な説明】
【００５３】
【図１】本発明を適用したすべり支承用カバーを有するすべり支承装置を使用した建物を模式的に示す立面図である。
【図２】図１中のすべり支承装置を示す縦断面図である。
【図３】本発明を適用したすべり支承用カバーの一実施例を有するすべり支承装置の組み付け状態を一部破断して示す模式的斜視図である。
【図４】図３中のすべり支承用カバーの組み付け前の状態を示す模式的分解斜視図である。
【符号の説明】
【００５４】
１０    建物
１１    床面
１２    基礎
１３    建物の柱
１４    地面
２０    すべり支承装置
２１    すべり支承体
２２    すべり面
２３    平板状部材
２４    すべり支承用カバー
２５    開口
２７    切れ目
２８    布テープ（クロステープ）
２９    シート（接合部補強用）
３０    積層ゴム支承装置
４１    防水シート
４２    保液層
４３    保液層の外周端面
【図１】
2006257683.tif 000003
【図２】
2006257683.tif 000004
【図３】
2006257683.tif 000005
【図４】
2006257683.tif 000006